(57)【要約】【課題】  ケースの貫通孔を長く形成しなくても、防水性を確保して、組立作業、分解作業を容易にする押釦スイッチ構造を提供する。【解決手段】  腕時計ケース１の貫通孔１１に軸方向の第１の位置とこの第１の位置より引き出された第２の位置とを移動可能に設けられた操作部材１３に、この操作部材１３が第１の位置にあるときに貫通孔１1内のガイドパイプ１２から腕時計ケース１の内部に突出し、操作部材１３が第２の位置にあるときに貫通孔１１のガイドパイプ１２内に位置する第１の防水リング１６と、操作部材１３が第１の位置にあるときに貫通孔１１のガイドパイプ１２内に位置する第２の防水リング１７とを、設けた。従って、腕時計ケース１の貫通孔１１を長く形成しなくても、第１、第２の各防水リング１６、１７のいずれかによって、気密性、防水性を確保でき、組立作業や分解作業が容易にできる。【選択図】        図１
2012054201.tif 000002
【特許請求の範囲】
【請求項１】
ケースの貫通孔に、先端に係止部が設けられた操作部材が、その軸方向における第１の位置と、この第１の位置より引き出された第２の位置とを移動可能に設けられた押釦スイッチ構造において、
前記操作部材に装着され、この操作部材が前記軸方向の前記第１の位置にあるときに前記貫通孔から前記ケースの内部に突出し、前記操作部材が前記軸方向の前記第２の位置にあるときに前記貫通孔内に位置する第１の防水リングと、
前記操作部材に装着され、この操作部材が前記軸方向の前記第１の位置にあるときに前記貫通孔内に位置する第２の防水リングと
を備えていることを特徴とする押釦スイッチ構造。
【請求項２】
前記第１の防水リングは、前記操作部材が前記軸方向の前記第１の位置にあるときに、前記貫通孔から前記ケースの内部に突出した状態で、前記ケース内に位置する前記貫通孔の内側縁部に係止されることを特徴とする請求項１に記載の押釦スイッチ構造。
【請求項３】
前記第２の防水リングは、前記操作部材にその軸方向に沿って複数個装着されていることを特徴とする請求項１または請求項２に記載の押釦スイッチ構造。
【請求項４】
前記第１の防水リングと前記第２の防水リングとは、その材質が異なる弾性材料で形成されていることを特徴とする請求項１〜請求項３のいずれかに記載の押釦スイッチ構造。
【請求項５】
前記操作部材には、前記ケースの前記貫通孔から前記ケースの外部に向けて突出する頭部が設けられており、この頭部と前記貫通孔の外部側に位置する外側縁部との間にばね部材が配置されていることを特徴とする請求項１〜請求項４のいずれかに記載の押釦スイッチ構造。
【発明の詳細な説明】
【技術分野】
【０００１】
この発明は、腕時計などの時計、電子カメラ、携帯電話機などの防水型の電子機器に用いられる押釦スイッチ構造に関する。
【背景技術】
【０００２】
従来、腕時計の押釦スイッチ構造においては、特許文献１に記載されているように、腕時計ケースの側壁部に貫通孔が設けられ、この貫通孔内に操作部材がその軸方向にスライド可能に挿入され、この操作部材をスライド操作することにより、腕時計ケース内のスイッチ板を押すように構成されたものが知られている。
【先行技術文献】
【特許文献】
【０００３】
【特許文献１】実開昭６２−１７８３９１号公報
【発明の概要】
【発明が解決しようとする課題】
【０００４】
しかしながら、このような従来の押釦スイッチ構造では、腕時計ケースの貫通孔に挿入された操作部材の先端が腕時計ケースの内部に長く突出していると、腕時計ケース内に時計モジュールを組み込む際に、時計モジュールの文字板が操作部材の突出した先端部に当接するため、操作部材を腕時計ケースの貫通孔に挿入した状態で、腕時計ケース内に時計モジュールを組み込むことができない。
【０００５】
このため、このような従来の押釦スイッチ構造では、腕時計ケース内に時計モジュールを組み込んだ後に、操作部材を腕時計ケースの貫通孔に装着しなければならないため、腕時計の組立作業や分解作業が面倒であるほか、腕時計ケース内に時計モジュールを組み込む前に、腕時計ケースに操作部材を装着した状態で、腕時計ケースおよび操作部材の気密、防水検査を行うことができないなどの問題がある。
【０００６】
また、このような従来の押釦スイッチ構造では、操作部材を装着した状態で、腕時計ケース内に時計モジュールが組み込めるように、操作部材の先端が腕時計ケースの内部に突出する長さを短くした構成のものも考えられている。しかし、このように腕時計ケースの内部に突出する操作部材の先端の長さを単に短くした構造では、操作部材を腕時計ケースの貫通孔に装着した状態で、操作部材の先端に抜止め部材を取り付ける作業が難しくなるため、操作部材がスライドする長さを十分に長くする必要がある。
【０００７】
すなわち、操作部材のスライド長さを長くすれば、操作部材を腕時計ケースの貫通孔に装着した状態で、操作部材の先端に抜止め部材を取り付ける際に、操作部材を腕時計ケースの内部に向けて押し込むことにより、操作部材の先端を腕時計ケース内に長く突出させ、この状態で操作部材の先端に抜止め部材を取り付けることができる。また、腕時計ケース内に時計モジュールを組み込む際には、操作部材を腕時計ケースの外部に向けて引き出すことにより、操作部材の先端が邪魔にならないようにすることができる。
【０００８】
しかしながら、このように操作部材のスライド長さを十分に長くするためには、腕時計ケースの側壁部の厚みを十分に厚くして、貫通孔の長さを長く形成しなければ、腕時計ケースに操作部材を装着した状態で、操作部材を最も引き出した位置と、最も押し込んだ位置とで、操作部材に設けられた防水リングを貫通孔内に位置させて、防水性を確保することができないとうい問題があり、腕時計全体が大型化してしまうという問題が生じる。
【０００９】
この発明が解決しようとする課題は、ケースの貫通孔を長く形成しなくても、防水性を確保できると共に、組立作業、分解作業が容易にできる押釦スイッチ構造を提供することである。
【課題を解決するための手段】
【００１０】
この発明は、上記課題を解決するために、次のような構成要素を備えている。
請求項１に記載の発明は、ケースの貫通孔に、先端に係止部が設けられた操作部材が、その軸方向における第１の位置と、この第１の位置より引き出された第２の位置とを移動可能に設けられた押釦スイッチ構造において、前記操作部材に装着され、この操作部材が前記軸方向の前記第１の位置にあるときに前記貫通孔から前記ケースの内部に突出し、前記操作部材が前記軸方向の前記第２の位置にあるときに前記貫通孔内に位置する第１の防水リングと、前記操作部材に装着され、この操作部材が前記軸方向の前記第１の位置にあるときに前記貫通孔内に位置する第２の防水リングとを備えていることを特徴とする押釦スイッチ構造である。
【００１１】
請求項２に記載の発明は、前記第１の防水リングが、前記操作部材の前記軸方向の前記第１の位置にあるときに、前記貫通孔から前記ケースの内部に突出した状態で、前記ケース内に位置する前記貫通孔の内側縁部に係止されることを特徴とする請求項１に記載の押釦スイッチ構造である。
【００１２】
請求項３に記載の発明は、前記第２の防水リングが、前記操作部材にその軸方向に沿って複数個装着されていることを特徴とする請求項１または請求項２に記載の押釦スイッチ構造である。
【００１３】
請求項４に記載の発明は、前記第１の防水リングと前記第２の防水リングとが、その材質の異なる弾性材料で形成されていることを特徴とする請求項１〜請求項３のいずれかに記載の押釦スイッチ構造である。
【００１４】
請求項５に記載の発明は、前記操作部材に、前記ケースの前記貫通孔から前記ケースの外部に向けて突出する頭部が設けられており、この頭部と前記貫通孔の外部側に位置する外側縁部との間にばね部材が配置されていることを特徴とする請求項１〜請求項４のいずれかに記載の押釦スイッチ構造である。
【発明の効果】
【００１５】
この発明によれば、操作部材がその軸方向における第１の位置にあるときに、第１の防水リングがケースの貫通孔からケースの内部に突出していても、第２の防水リングが貫通孔内に位置するので、操作部材がその軸方向における第１の位置にあるときに、第２の防水リングによって防水性を確保することができる。また、操作部材がその軸方向における第１の位置より引き出されて第２の位置にあるときに、第１の防水リングがケースの貫通孔内に位置するので、操作部材がその軸方向における第２の位置にあるときには、第１の防水リングによって気密性、防水性を確保することができ、気密、防水検査が可能となる。
【００１６】
このため、ケースの貫通孔を長く形成しなくても、第１、第２の各防水リングのいずれかによって、防水性を確保することができると共に、組立時および修理時に操作部材を第１の位置から第２の位置に引き出すことにより、操作部材を貫通孔に装着させた状態でも、操作部材の先端が邪魔にならずに、ケース内にモジュールなどの部品を組み込んだり、ケース内に組み込まれたモジュールなどの部品を取り出したりすることができるので、組立作業、分解作業が容易にできる。
【図面の簡単な説明】
【００１７】
【図１】この発明を腕時計に適用した実施形態１において、操作部材が第１の位置にある状態を示した要部の拡大断面図である。
【図２】図１に示された腕時計において、操作部材が第２の位置にある状態を示した要部の拡大断面図である。
【図３】図１に示された腕時計において、操作部材が第１の位置にある状態で押し込まれてスイッチ板をスイッチ操作した状態を示した要部の拡大断面図である。
【図４】この発明を腕時計に適用した実施形態２における要部を示した拡大断面図である。
【図５】この発明を腕時計に適用した実施形態３における要部を示した拡大断面図である。
【発明を実施するための形態】
【００１８】
（実施形態１）
以下、図１〜図３を参照して、この発明を腕時計に適用した実施形態１について説明する。
この腕時計は、図１に示すように、腕時計ケース１を備えている。この腕時計ケース１は、ケース本体１ａと、このケース本体１ａの上部外周にパッキン１ｃを介して取り付けられたベゼル部１ｂとで構成されている。
【００１９】
この腕時計ケース１の上部、つまりベゼル部１ｂの上部には、図１に示すように、時計ガラス２がパッキン２ａを介して取り付けられており、この腕時計ケース１の下部、つまりケース本体１ａの下部には、裏蓋３が防水パッキン３ａを介して取り付けられている。また、この腕時計ケース１の内部には、図１に示すように、時計モジュール４が組み込まれている。この時計モジュール４は、ハウジング５を備えている。
【００２０】
このハウジング５の内部には、図示しないが、時計ムーブメントや回路基板などの時計機能に必要な各種の部品が組み込まれている。このハウジング５の上面には、図１に示すように、ソーラーパネル６を介して光透過性を有する文字板７が配置されている。また、このハウジング５の下面には、図１に示すように、地板８が設けられている。この地板８には、スイッチ板９がハウジング５の側面に対向して設けられている。
【００２１】
ところで、この腕時計ケース１の側壁部、つまりケース本体１ａの側壁部には、図１に示すように、押釦スイッチ１０が設けられている。この押釦スイッチ１０は、腕時計ケース１の側壁部に設けられて腕時計ケース１の内部と外部とに貫通する貫通孔１１内にガイドパイプ１２を介して操作部材１３がスライド可能に設けられた構成になっている。
【００２２】
この場合、貫通孔１１は、図１に示すように、腕時計ケース１の側壁部における外部側に位置する大径孔部１１ａと、腕時計ケース１の側壁部における内部側に位置する小径孔部１１ｂとが、同一軸上に設けられた構成になっている。この貫通孔１１における小径孔部１１ｂ内には、金属製のガイドパイプ１２が嵌め込まれている。
【００２３】
このガイドパイプ１２は、図１に示すように、その外側の端部（図１では右側の端部）に、大径孔部１１ａの内径とほぼ同じか、それよりも少し小さい大きさの鍔部１２ａが設けられ、この鍔部１２ａが大径孔部１１ａの段差面１１ｃに当接した状態で、小径孔部１１ｂ内に嵌め込まれている。また、このガイドパイプ１２は、その内側に位置する内端部１２ｂ（図１では左側の端部）が貫通孔１１の小径孔部１１ｂから腕時計ケース１内に少し突出している。
【００２４】
一方、操作部材１３は、その外径がガイドパイプ１２の内径と同じか、それよりも少し小さい丸棒状に形成され、図１に示すように、ガイドパイプ１２内にスライド可能に挿入するように構成されている。この操作部材１３における腕時計ケース１の外部側に位置する端部には、図１に示すように、大径孔部１１ａ内に挿入する頭部１４が設けられている。この頭部１４は、その外径が大径孔部１１ａの内径よりも少し小さく形成されている。
【００２５】
この操作部材１３は、図１に示すように、その頭部１４が大径孔部１１ａ内に挿入して頭部１４の外端面と腕時計ケース１の外側面とが同一面上に位置した状態から、頭部１４と反対側に位置する操作部材１３の先端１３ａが腕時計ケース１内に突出して時計モジュール４のスイッチ板９に対面し、この状態で操作部材１３の先端１３ａが時計モジュール４のスイッチ板９に接触または接近する程度の長さに形成されている。この操作部材１３の先端１３ａには、Ｅリングなどの抜止めリング１５が取り付けられている。
【００２６】
これにより、この操作部材１３は、図３に示すように、頭部１４が貫通孔１１の大径孔部１１ａ内に押し込まれてガイドパイプ１２の鍔部１２ａに当接する位置と、図２に示すように、頭部１４が貫通孔１１の大径孔部１１ａの外部に引き出されて操作部材１３の先端１３ａに設けられた抜止めリング１５がガイドパイプ１２の内端部１２ｂに当接する位置との間で、スライドするように構成されている。
【００２７】
この場合、操作部材１３のスライド位置は、図１および図３に示すように、頭部１４が貫通孔１１の大径孔部１１ａ内に移動可能に挿入されている状態の第１の位置と、図２に示すように、頭部１４が貫通孔１１の大径孔部１１ａ内から外部に引き出されている状態の第２の位置とを有し、これら第１、第２の各位置の間で操作部材１３がその軸方向に沿って移動するように構成されている。
【００２８】
また、この操作部材１３には、図１に示すように、第１の防水リング１６と第２の防止リング１７とが設けられている。この場合、第１、第２の各防水リング１６、１７は、ニトリルゴム、ブチルゴム、シリコーンゴム、ウレタンゴムなどの弾性材料からなり、その断面形状が円形、楕円、半円形（Ｄ字形）などの形状に形成されている。また、操作部材１３の外周面には、第１の防水リング１６が装着する第１の装着溝１３ｂと、第２の防止リング１７が装着する第２の装着溝１３ｃとがそれぞれ設けられている。
【００２９】
第１の防止リング１６は、図１および図３に示すように、操作部材１３が第１の位置にあるときに貫通孔１１の小径孔部１１ｂから、腕時計ケース１の内部に突出し、また図２に示すように、操作部材１３が第２の位置にあるときに貫通孔１１内のガイドパイプ１２内に位置して気密性を保持するように構成されている。
【００３０】
すなわち、この第１の防水リング１６は、図１および図３に示すように、操作部材１３が第１の位置で腕時計ケース１の内部に突出しているときに、操作部材１３の第１の装着溝１３ｂから操作部材１３の外周面方向に弾力的に突出し、この突出した部分が図１に示すようにガイドパイプ１２の内端部１２ｂに弾力的に当接して係止されるように構成されている。
【００３１】
また、この第１の防水リング１６は、図２に示すように、操作部材１３が第２の位置に向けて移動して貫通孔１１内のガイドパイプ１２内に位置する際に、弾性変形してガイドパイプ１２の内面に弾接し、この状態でガイドパイプ１２の内面に沿って摺動することにより、気密性を保持するように構成されている。
【００３２】
一方、第２の防水リング１７は、図１および図３に示すように、操作部材１３が第１の位置にあるときに、貫通孔１１内のガイドパイプ１２内に位置することにより、ガイドパイプ１２の内面に弾接し、この状態でガイドパイプ１２の内面に沿って摺動することにより、気密性を保持するように構成されている。
【００３３】
また、この第２の防水リング１７は、図２に示すように、操作部材１３が第１の位置から第２の位置に向けて移動して、第１の防水リング１６が貫通孔１１内のガイドパイプ１２内に位置している際に、ガイドパイプ１２内から貫通孔１１の大径孔部１１ａ内に位置するように構成されている。このとき、第２の防水リング１７は、図２に示すように、弾性復帰して操作部材１３の第１の装着溝１３ｂから操作部材１３の外周面方向に弾力的に突出するように構成されている。
【００３４】
ところで、この第１、第２の各防水リング１６、１７は、その材質が異なる弾性材料で形成されている。例えば、第１の防水リング１６は、第２の防水リング１７よりも硬質の弾性材料で形成されていても良く、また逆に、第１の防水リング１６は、第２の防水リング１７よりも軟質の弾性材料で形成されていても良い。
【００３５】
次に、このような押釦スイッチ１０の作用について説明する。
まず、腕時計ケース１内に時計モジュール４を組み込む前に、腕時計ケース１の貫通孔１１に押釦スイッチ１０の操作部材１３を取り付ける。このときには、図１〜図３に示すように、予め、腕時計ケース１の上部に時計ガラス２を取り付ける。また、操作部材１３の第１の装着溝１３ｂに第１の防水リング１６を取り付けると共に、操作部材１３の第２の装着溝１３ｃに第２の防水リング１７を取り付ける。
【００３６】
この後、腕時計ケース１の外部から操作部材１３の先端１３ａを貫通孔１１内のガイドパイプ１２に挿入させる。このときには、まず、図２に示すように、第１の防水リング１６が弾性変形してガイドパイプ１２内に挿入される。すると、操作部材１３の頭部１４が貫通孔１１の大径孔部１１ａの外部に位置し、第２の防水リング１７が大径孔部１１ａ内に位置する。
【００３７】
この状態で、操作部材１３を更に押し込むと、図１に示すように、操作部材１３の頭部１４が貫通孔１１の大径孔部１１ａ内に位置すると共に、第２の防水リング１７が弾性変形してガイドパイプ１２内に挿入される。これに伴って、第１の防水リング１６がガイドパイプ１２内を移動してガイドパイプ１２内から腕時計ケース１の内部に突出する。
【００３８】
この後、図３に示すように、操作部材１３を更に押し込み、操作部材１３の頭部１４を貫通孔１１の大径孔部１１ａ内に配置されたガイドパイプ１２の鍔部１２ａに当接させると、第２の防水リング１７がガイドパイプ１２の内面に弾接した状態で、第１の防水リング１６が腕時計ケース１の内部に突出し、腕時計ケース１の内面から最も離れる。これに伴って、操作部材１３の先端１３が腕時計ケース１内に最も突出する。
【００３９】
この状態で、操作部材１３の先端１３ａに抜止めリング１５を取り付ける。このときには、操作部材１３の先端１３が腕時計ケース１の内面から十分に離れているので、抜止めリング１５を操作部材１３の先端１３ａに容易に取り付けることができる。これにより、操作部材１３を引き出した際には、抜止めリング１５がガイドパイプ１２の内側の端部１２ｂに当接することにより、操作部材１３がガイドパイプ１２から抜け出すことがない。
【００４０】
次に、操作部材１３が装着された腕時計ケース１内に時計モジュール４を組み込む場合について説明する。
この場合には、図２に示すように、操作部材１３を腕時計ケース１の外部に向けて引き出し、操作部材１３の先端１３ａに取り付けられた抜止めリング１５をガイドパイプ１２の内端部１２ｂに当接させる。
【００４１】
このときには、図２に示すように、操作部材１３の頭部１４が貫通孔１１の大径孔部１１ａ内から外部に引き出され、第２の防水リング１７がガイドパイプ１２から外部に抜け出して貫通孔１１の大径孔部１１ａ内に位置し、第１の防水リング１６が弾性変形してガイドパイプ１２内に位置する。この状態では、第１の防水リング１６がガイドパイプ１２の内面に弾接していることにより、気密性が保持される。
【００４２】
このため、時計モジュール４を腕時計ケース１内に組み込む前に、腕時計ケース１の下部に防水パッキン３ａを介して裏蓋３を取り付けることにより、腕時計ケース１の気密性および防水性を検査することができる。すなわち、腕時計ケース１の気密性および防水性を検査する際には、操作部材１３が引き出されて第２の位置にある場合においても、また操作部材１３が押し込まれて第１の位置にある場合においても、良好に気密性および防水性を検査することができる。
【００４３】
例えば、操作部材１３が引き出されて第２の位置にある場合には、上述したように、第１の防水リング１６がガイドパイプ１２の内面に弾接して気密性を保持しているので、腕時計ケース１の気密性および防水性の検査ができる。また、操作部材１３が押し込まれて第１の位置にある場合には、第２の防水リング１７がガイドパイプ１２の内面に弾接して気密性を保持しているので、腕時計ケース１の気密性および防水性の検査ができる。
【００４４】
このようにして、気密性および防水性の検査をした後には、裏蓋３を取り外すことにより、腕時計ケース１内に時計モジュール４を組み込むことができる。このときには、図２に示すように、操作部材１３を腕時計ケース１の外部に向けて引き出し、操作部材１３の先端１３ａに取り付けられた抜止めリング１５をガイドパイプ１２の内端部１２ｂに当接させる。
【００４５】
これにより、操作部材１３の先端１３ａが腕時計ケース１内に突出する長さが最も短くなる。このため、図２に示すように、操作部材１３の先端１３ａと時計モジュール４の側部（つまり文字板７およびソーラーパネル６の各側部）との間に隙間が生じ、この隙間によって操作部材１３の先端１３ａが邪魔にならずに、時計モジュール４を腕時計ケース１内に容易に且つ良好に組み込むことができる。このときには、時計モジュール４の地板８に設けられたスイッチ板９を操作部材１３の先端１３ａに対応させる。
【００４６】
そして、図１に示すように、操作部材１３を押し込んで、操作部材１３の頭部１４を貫通孔１１の大径孔部１１ａ内に挿入させると、第２の防水リング１７が弾性変形してガイドパイプ１２内に配置され、第１の防水リング１６がガイドパイプ１２内から腕時計ケース１内に突出し、この操作部材１３の先端１３ａが時計モジュール４のスイッチ板９に接触または接近した状態になる。これにより、押釦スイッチ１０が構成される。
【００４７】
この状態で、押釦スイッチ１０の操作部材１３に設けられた頭部１４を押圧操作すると、図３に示すように、操作部材１３が腕時計ケース１内に向けてスライドし、その頭部１４が貫通孔１１の大径孔部１１ａ内に押し込まれると共に、第２の防水リング１７がガイドパイプ１２内をその内面に弾接した状態で摺動する。
【００４８】
これにより、第２の防水リング１７によって気密性が保持された状態で、図３に示すように、第１の防水リング１６が腕時計ケース１内を移動しながら、操作部材１３の先端１３ａがスイッチ板９を押圧して、このスイッチ板９を時計モジュール４の側面に設けられた接点部（図示せず）に押し付けることにより、スイッチ操作が行われる。
【００４９】
この場合、第１の防水リング１６が腕時計ケース１内を移動する際には、第１の防水リング１６が操作部材１３の第１の装着溝１３ｂから操作部材１３の外周面方向に弾力的に突出し、この突出した部分が図１に示すようにガイドパイプ１２の内端部１２ｂに弾力的に当接して係止されることにより、操作部材１３が第１の位置から第２の位置に勝手に移動するのを防ぐことができる。
【００５０】
これにより、操作部材１３が第１の位置にある状態で、第１の防水リング１６がガイドパイプ１２の内端部１２ｂに当接する位置と、操作部材１３の先端１３ａがスイッチ板９を押圧してスイッチ動作させた位置との間で、操作部材１３を円滑に且つ良好にスライドさせて、スイッチ操作を行うことができる。
【００５１】
ところで、このような腕時計を修理する場合には、腕時計ケース１の下部から裏蓋３を取り外した状態で、まず、押釦スイッチ１０の操作部材１３を腕時計ケース１の外部に引き出し、この操作部材１３の先端１３ａに取り付けられた抜止めリング１５を腕時計ケース１の内面に位置するガイドパイプ１２の内端部１２ｂに当接させる。
【００５２】
これにより、操作部材１３の先端１３ａが腕時計ケース１内に突出する長さが最も短くなるため、図２に示すように、操作部材１３の先端１３ａが邪魔にならずに、時計モジュール４を腕時計ケース１内から簡単に且つ容易に取り外すことができ、この取り外した時計モジュール４を良好に修理することができる。
【００５３】
このように、この腕時計の押釦スイッチ１０によれば、腕時計ケース１の貫通孔１１に軸方向における第１の位置とこの第１の位置より引き出された第２の位置とを移動可能に設けられた操作部材１３に、この操作部材１３が第１の位置にあるときに貫通孔１1内のガイドパイプ１２から腕時計ケース１の内部に突出し、操作部材１３が軸方向の第２の位置にあるときに貫通孔１１のガイドパイプ１２内に位置する第１の防水リング１６と、操作部材１３が軸方向の第１の位置にあるときに貫通孔１１のガイドパイプ１２内に位置する第２の防水リング１７とを、設けたことにより、腕時計ケース１の貫通孔１１を長く形成しなくても、防水性および気密性を確保できると共に、組立作業、分解作業が容易にできる。
【００５４】
すなわち、この押釦スイッチ１０によれば、操作部材１３がその軸方向における第１の位置にあるときに、第１の防水リング１６が腕時計ケース１における貫通孔１１のガイドパイプ１２から腕時計ケース１の内部に突出していても、第２の防水リング１７が貫通孔１１のガイドパイプ１２内に位置するので、操作部材１３がその軸方向における第１の位置にあるときに、第２の防止リング１７によって気密性および防水性を確保することができる。
【００５５】
また、操作部材１３がその軸方向における第１の位置より引き出されて第２の位置にあるときには、第１の防水リング１６が腕時計ケース１における貫通孔１１のガイドパイプ１２内に位置するので、操作部材１３がその軸方向における第２の位置にあるときに、第１の防水リング１６によって気密性および防水性を確保することができる。
【００５６】
このため、腕時計ケース１の貫通孔１１を長く形成しなくても、第１、第２の各防水リング１６、１７のいずれかによって気密性および防水性を確保することができると共に、組立時および修理時に操作部材１３を第１の位置から第２の位置に引き出すことにより、操作部材１３を貫通孔１１のガイドパイプ１２内に装着させた状態でも、操作部材１３の先端１３ａが邪魔にならずに、腕時計ケース１内に時計モジュール４を容易に組み込んだり、また腕時計ケース１内に組み込まれた時計モジュール４を簡単に取り出したりすることができるので、組立作業、分解作業が容易にできる。
【００５７】
この場合、第１の防水リング１６は、操作部材１３が軸方向の第１の位置にあるときに、貫通孔１１のガイドパイプ１２内から腕時計ケース１の内部に突出した状態で、腕時計ケース１内に位置する貫通孔１１の内側縁部であるガイドパイプ１２の内縁部１２ｂに係止されることにより、操作部材１３が第１の位置から第２の位置に勝手に移動するのを防ぐことができる。
【００５８】
これにより、操作部材１３が第１の位置にある状態で、第１の防水リング１６がガイドパイプ１２の内端部１２ｂに当接する位置と、操作部材１３の先端１３ａがスイッチ板９を押圧してスイッチ動作させた位置との間で、操作部材１３を円滑に且つ良好にスライドさせることができ、これによりスイッチ操作性を向上させることができる。
【００５９】
また、この押釦スイッチ１０では、第１の防水リング１６と第２の防水リング１７とが、その材質の異なる弾性材料で形成されていることにより、操作部材１３を第１の位置に押し込んでも、また操作部材１３を第２の位置に引き出しても、第１、第２の各防水リング１６、１７のいずれかによって、防水性および気密性を確保することができると共に、操作部材１３の操作性の向上を図ることができる。
【００６０】
例えば、第１の防水リング１６が第２の防水リング１７よりも硬質の弾性材料で形成されていれば、操作部材１３を第２の位置に引き出した際に、第２の防水リング１７よりも硬質の第１の防水リング１６によって、防水性および気密性を確保することができると共に、操作部材１３を第１の位置に押し込んで第２の防水リング１７を貫通孔１１のガイドパイプ１２内に位置させた際に、第１の防水リング１６よりも軟質の第２の防水リング１７によって、円滑に且つ良好に操作部材１３をスライド操作させることができる。
【００６１】
また、第１の防水リング１６が第２の防水リング１７よりも軟質の弾性材料で形成されていれば、操作部材１３を第２の位置に引き出した際に、第２の防水リング１７よりも軟質の第１の防水リング１６によって、操作部材１３を円滑に且つ良好にスライド操作させることができると共に、操作部材１３を第１の位置に押し込んで第２の防水リング１７を貫通孔１１のガイドパイプ１２内に位置させた際に、第１の防水リング１６よりも硬質の第２の防水リング１７によって、防水性および気密性を確保することができる。
【００６２】
（実施形態２）
次に、図４を参照して、この発明を腕時計に適用した実施形態２について説明する。なお、図１〜図３に示された実施形態１と同一部分には同一符号を付して説明する。
この腕時計は、図４に示すように、押釦スイッチ２０の操作部材１３に２つの第２の防水リング２１、２２を設けた構成であり、これ以外は実施形態１とほぼ同じ構成になっている。
【００６３】
この場合、操作部材１３には、実施形態１と同様、第１の防水リング１６が装着する第１の装着溝１３ｂが設けられているほかに、図４に示すように、２つの第２の防水リング２１、２２が装着する２つの第２の装着溝２３、２４が設けられている。すなわち、２つの第２の防水リング２１、２２のうち、１つの第２の防水リング２１は、第１の防水リング１６の近傍に位置する第２の装着溝２３に装着されており、他の第２の防水リング２２は、操作部材１３の頭部１４側に位置する第２の装着溝２４に装着されている。
【００６４】
この２つの第２の防水リング２１、２２は、操作部材１３の頭部１４が貫通孔１１の大径孔部１１ａ内に挿入した第１の位置において、その頭部１４の外端面と腕時計ケース１の外側面とが同一面上に位置した状態のときに、貫通孔１１内のガイドパイプ１２内に位置してガイドパイプ１２の内面に弾接した状態で、摺動するように構成されている。
【００６５】
また、２つの第２の防水リング２１、２２のうち、１つの第２の防水リング２１は、操作部材１３の頭部１４が貫通孔１１の大径孔部１１ａ内に挿入した第１の位置において、その頭部１４が大径孔部１１ａ内に押し込まれてガイドパイプ１２の鍔部１２ａに当接する際に、ガイドパイプ１２内から腕時計ケース１の内部に突出するように構成されている。
【００６６】
また、他の第２の防水リング２２は、操作部材１３の頭部１４が貫通孔１１の大径孔部１１ａ内に挿入した第１の位置から、その頭部１４が大径孔部１１ａ内から外部に引き出される第２の位置に移動する際に、ガイドパイプ１２内から貫通孔１１の大径孔部１１ａ内に突出するように構成されている。
【００６７】
この場合にも、２つの第２の防水リング２１、２２は、実施形態１と同様、ニトリルゴム、ブチルゴム、シリコーンゴム、ウレタンゴムなどの弾性材料からなっている。また、この２つの第２の防水リング２１、２２と第１の防水リング１６とは、その材質が異なる弾性材料で形成されている。例えば、２つの第２の防水リング２１、２２は、第１の防水リング１６よりも軟質の弾性材料で形成されていても良く、また逆に、２つの第２の防水リング２１、２２は、第１の防水リング１６よりも硬質の弾性材料で形成されていても良い。
【００６８】
このような押釦スイッチ２０によれば、実施形態１と同様の作用効果があるほか、操作部材１３に２つの第２の防水リング２１、２２を設けた構成であるから、実施形態１のものよりも防水性および気密性を高めることができる。すなわち、この押釦スイッチ２０では、操作部材１３の頭部１４が貫通孔１１の大径孔部１１ａ内に挿入した第１の位置において、その頭部１４の外端面と腕時計ケース１の外側面とが同一面上に位置した状態のときに、２つの第２の防水リング２１、２２が貫通孔１１内のガイドパイプ１２内に位置してガイドパイプ１２の内面に弾接するので、実施形態１のものよりも防水性および気密性を十分に高めることができる。
【００６９】
（実施形態３）
次に、図５を参照して、この発明を腕時計に適用した実施形態３について説明する。この場合にも、図１〜図３に示された実施形態１と同一部分には同一符号を付して説明する。
この腕時計の押釦スイッチ３０は、図５に示すように、貫通孔１１の大径孔部１１ａ内にばね部材３１を設けた構成であり、これ以外は実施形態１とほぼ同じ構成になっている。
【００７０】
すなわち、このばね部材３１は、図５に示すように、コイルばねであり、貫通孔１１の大径孔部１１ａ内に位置した状態で、操作部材１３の頭部１４とガイドパイプ１２の鍔部１２ａとの間に配置され、この状態で頭部１４を大径孔部１１ａの外部に向けて押し出す方向に付勢するように構成されている。
【００７１】
この場合、ばね部材３１は、操作部材１３の頭部１４が貫通孔１１の大径孔部１１ａ内に挿入した第１の位置において、第２の防水リング１７がガイドパイプ１２の内面に弾接して摺動する際における第２の防水リング１７の弾接力よりも、ばね部材３１のばね力が強く設定されている。
【００７２】
また、このばね部材３１は、操作部材１３の頭部１４が貫通孔１１の大径孔部１１ａ内に挿入した第１の位置から、その頭部１４が大径孔部１１ａ内の外部に引き出される第２の位置に移動する際に、第１の防水リング１６がガイドパイプ１２内に挿入する弾性変形力よりも、ばね部材３１のばね力が弱く設定される。
【００７３】
これにより、操作部材１３は、その頭部１４が貫通孔１１の大径孔部１１ａ内に挿入した第１の位置において、ばね部材３１のばね力に抗して頭部１４を指で押し込むと、操作部材１３の先端１３ａが時計モジュール４のスイッチ板９を押圧して、スイッチ板９をスイッチ操作するように構成されている。
【００７４】
また、この操作部材１３は、第１の位置にあるときに、ばね部材３１のばね力に抗して押された状態で、頭部１４から指を離すと、ばね部材３１のばね力によって頭部１４が大径孔部１１ａ内を外部に向けて押し出され、操作部材１３の先端１３ａが時計モジュール４のスイッチ板９から自動的に離れるように構成されている。
【００７５】
この場合、操作部材１３は、ばね部材３１のばね力によって頭部１４が大径孔部１１ａ内を外部に向けて押し出されても、第１の防水リング１６がガイドパイプ１２の内端部１２ｂに当接することにより、頭部１４が貫通孔１１の大径孔部１１ａ内に挿入している第１の位置で停止するように構成されている。
【００７６】
このように、この腕時計の押釦スイッチ３０によれば、実施形態１と同様の作用効果があるほか、腕時計ケース１の貫通孔１１の外部側に位置する外側縁部であるガイドパイプ１２の鍔部１２ａと操作部材１３の頭部１４との間に、ばね部材３１を配置した構成であるから、操作部材１３の頭部１４が貫通孔１１の大径孔部１１ａ内に挿入した第１の位置において、ばね部材３１のばね力に抗して操作部材１３をスライドさせてスイッチ板９をスイッチ操作することができる。
【００７７】
この場合、ばね部材３１は、操作部材１３の頭部１４が貫通孔１１の大径孔部１１ａ内に挿入した第１の位置において、第２の防水リング１７がガイドパイプ１２の内面に弾接する弾接力よりもばね力が強く設定されているので、ばね部材３１のばね力に抗して操作部材１３をスライドさせてスイッチ板９をスイッチ操作させても、ばね部材３１のばね力によって操作部材１３を第１の位置における元の位置に自動的に復帰させることができ、これにより実施形態１のものよりスイッチ操作性を向上させることができる。
【００７８】
また、このばね部材３１は、操作部材１３の頭部１４が貫通孔１１の大径孔部１１ａ内に挿入した第１の位置から、その頭部１４が大径孔部１１ａ内の外部に引き出される第２の位置に移動する際に、第１の防水リング１６がガイドパイプ１２内に挿入する弾性変形力よりもばね力が弱く設定されるので、ばね部材３１のばね力によって頭部１４が大径孔部１１ａ内を外部に向けて押し出されても、第１の防水リング１６がガイドパイプ１２の内端部１２ｂに当接することにより、頭部１４が貫通孔１１の大径孔部１１ａ内に挿入している第１の位置で、操作部材１３を停止させることができる。
【００７９】
なお、上述した実施形態３の押釦スイッチ３０では、操作部材１３に第２の防水リング１７を１つ設けた構成である場合について述べたが、これに限らず、例えば図４に示された実施形態２の押釦スイッチ２０のように、操作部材１３に２つの第２の防水リング２１、２２を設けた構成である場合にも適用することができる。
【００８０】
また、上述した実施形態１〜３およびその変形例では、腕時計に適用した場合について述べたが、必ずしも腕時計である必要はなく、例えばトラベルウオッチ、目覚まし時計、置き時計、掛け時計などの各種の時計に適用することができ、また時計に限らず、電子カメラ、携帯電話機などの防水型の電子機器にも広く適用することができる。
【符号の説明】
【００８１】
１  腕時計ケース
２  時計ガラス
３  裏蓋
４  時計モジュール
９  スイッチ板
１０、２０、３０  押釦スイッチ
１１  貫通孔
１１ａ  大径孔部
１１ｂ  小径孔部
１２  ガイドパイプ
１２ａ  ガイドパイプの鍔部
１２ｂ  ガイドパイプの内端部
１３  操作部材
１４  頭部
１５  抜止めリング
１６  第１の防水リング
１７  第２の防水リング
２１、２２  ２つの第２の防水リング
３１  ばね部材
【図１】
2012054201.tif 000003
【図２】
2012054201.tif 000004
【図３】
2012054201.tif 000005
【図４】
2012054201.tif 000006
【図５】
2012054201.tif 000007